【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
遊技媒体を循環させる循環経路を有し、遊技者により遊技が行なわれる封入式遊技機と、該封入式遊技機と通信可能に接続され、記録媒体を受付けて該記録媒体に記録されている記録情報により特定される遊技者所有の有価価値を用いて該封入式遊技機での遊技を可能にする遊技用装置と、該遊技用装置と通信可能に接続された遊技用管理装置とを備える遊技用システムであって、
前記遊技用管理装置は、
前記封入式遊技機が稼働状態のときに発生する遊技情報の数値が適正であるか否かの判定に用いる設定を前記遊技用装置へ送信する制御を行なう設定送信制御手段とを含み、
前記封入式遊技機は、稼働状態において発生する遊技情報を前記遊技用装置へ送信し、
前記遊技用装置は、
前記設定送信制御手段の制御により送信されてきた設定を記憶する設定記憶手段と、
該設定記憶手段により記憶されている設定に基づいて、前記封入式遊技機から送信されてきた遊技情報の数値が適正であるか否か判定する適否判定手段とを含む、遊技用システム。
【請求項２】
遊技用管理装置および遊技媒体を循環させる循環経路を有し、封入式遊技機と通信可能であり、記録媒体を受付けて該記録媒体に記録されている記録情報により特定される遊技者所有の有価価値を用いて前記封入式遊技機での遊技を可能にする遊技用装置であって、
前記封入式遊技機が稼働状態のときに発生する遊技情報の数値が適正であるか否かの判定に用いる設定を前記遊技用管理装置より受信する設定受信手段と、
該設定受信手段により受信された設定を記憶する設定記憶手段と、
該設定記憶手段により記憶されている設定に基づいて、前記封入式遊技機から送信されてきた遊技情報の数値が適正であるか否か判定する適否判定手段とを備える、遊技用装置。
【手続補正２】
【補正対象書類名】明細書
【補正対象項目名】０００７
【補正方法】変更
【補正の内容】
【０００７】
（１）  本発明は、遊技媒体を循環させる循環経路を有し、遊技者により遊技が行なわれる封入式遊技機（パチンコ機２、スロットマシン２Ｓ）と、該封入式遊技機と通信可能に接続（コネクタ３３０、２０、２２０と接続配線）され、記録媒体（カード）を受付けて該記録媒体に記録されている記録情報により特定される遊技者所有の有価価値（プリペイド残高、持玉数、あるいは貯玉数）を用いて該封入式遊技機での遊技を可能にする遊技用装置（カードユニット３）と、該遊技用装置と通信可能に接続された遊技用管理装置（上位サーバ８０１またはホール用管理コンピュータ１）とを備える遊技用システムであって、
前記遊技用管理装置は、
前記封入式遊技機が稼働状態のときに発生する遊技情報の数値が適正であるか否かの判定に用いる設定（セキュリティ関連情報の閾値を含む設定情報）を前記遊技用装置へ送信する制御を行なう設定送信制御手段（Ｓ７０７）とを含み、
前記封入式遊技機は、稼働状態において発生する遊技情報（ベースを演算するための遊技玉獲得個数情報および遊技玉発射個数情報等の情報）を前記遊技用装置へ送信し（図１８のレスポンス）、
前記遊技用装置は、
前記設定送信制御手段の制御により送信されてきた設定を記憶する設定記憶手段（Ｓ７５５、ＣＵ３におけるセキュリティ関連情報記憶部）と、
該設定記憶手段により記憶されている設定に基づいて、前記封入式遊技機から送信されてきた遊技情報の数値が適正であるか否か判定する適否判定手段（Ｓ８０１〜Ｓ８１０）とを含む。
【手続補正３】
【補正対象書類名】明細書
【補正対象項目名】０００８
【補正方法】変更
【補正の内容】
【０００８】
このような構成によれば、遊技用管理装置から送信されてきた設定を遊技用装置が記憶し、封入式遊技機から送信されてきた遊技情報の数値が適正であるか否かの判定を遊技用装置がその設定に基づいて行なうために、遊技用管理装置が遊技情報の数値の適否を自ら判定することに比べて、遊技用管理装置の負担が軽減される。
【手続補正４】
【補正対象書類名】明細書
【補正対象項目名】０００９
【補正方法】変更
【補正の内容】
【０００９】
（２）  上記（１）の遊技用システムにおいて、前記遊技用管理装置は、
前記封入式遊技機が稼働状態のときに発生する遊技情報の数値が適正であるか否かの判定に用いる設定の入力を受付けて記憶する入力設定記憶手段（上位サーバ８０１におけるセキュリティ関連情報記憶部）と、
前記設定記憶手段に記憶されている設定を前記入力設定記憶手段に記憶されている設定と照合することにより、前記設定記憶手段に記憶されている設定が適正であるか否か判定する設定判定手段（Ｓ７０６）と、
該設定判定手段により不適正であると判定されたときに、該不適正と判定された設定を適正な設定に更新するための処理を行なう設定更新処理手段（Ｓ７０７〜Ｓ７１３）とを含む。
【手続補正５】
【補正対象書類名】明細書
【補正対象項目名】００１２
【補正方法】変更
【補正の内容】
【００１２】
このような構成によれば、封入式遊技機から送信されてきた遊技情報の数値が不適正であると判定されたときにその不適正と判定された遊技情報に対応するエラーの種類を特定するエラー特定情報が遊技用装置から遊技用管理装置へ送信されるために、遊技用管理装置においては、発生したエラーの種類を掌握することができる。
【手続補正６】
【補正対象書類名】明細書
【補正対象項目名】００１３
【補正方法】変更
【補正の内容】
【００１３】
（４）  本発明の他の態様は、遊技用管理装置（カードユニット３）および遊技媒体を循環させる循環経路を有し、封入式遊技機（パチンコ機２、スロットマシン２Ｓ）と通信可能であり、記録媒体（カード）を受付けて該記録媒体に記録されている記録情報により特定される遊技者所有の有価価値（プリペイド残高、持玉数、あるいは貯玉数）を用いて前記封入式遊技機での遊技を可能にする遊技用装置（カードユニット３）であって、
前記封入式遊技機が稼働状態のときに発生する遊技情報の数値が適正であるか否かの判定に用いる設定を前記遊技用管理装置より受信する設定受信手段（外部通信部３２４、Ｓ７５４）と、
該設定受信手段により受信された設定を記憶する設定記憶手段（Ｓ７５５、ＣＵ３におけるセキュリティ関連情報記憶部）と、
該設定記憶手段により記憶されている設定に基づいて、前記封入式遊技機から送信されてきた遊技情報の数値が適正であるか否か判定する適否判定手段（Ｓ８０１〜Ｓ８１０）とを備える。
【手続補正７】
【補正対象書類名】明細書
【補正対象項目名】００１４
【補正方法】変更
【補正の内容】
【００１４】
このような構成によれば、遊技用管理装置から送信されてきた設定を遊技用装置が記憶し、封入式遊技機から送信されてきた遊技情報の数値が適正であるか否かの判定を遊技用装置がその設定に基づいて行なうために、遊技用管理装置が遊技情報の数値の適否を自ら判定することに比べて、遊技用管理装置の負担が軽減される。
【手続補正８】
【補正対象書類名】明細書
【補正対象項目名】００１６
【補正方法】変更
【補正の内容】
【００１６】
このような構成によれば、封入式遊技機から送信されてきた遊技情報の数値が不適正であると判定されたときにその不適正と判定された遊技情報に対応するエラーの種類を特定するエラー特定情報が遊技用装置から遊技用管理装置へ送信されるために、遊技用管理装置においては、発生したエラーの種類を掌握することができる。